(57)【特許請求の範囲】
【請求項１】
被粉砕物が投入されるホッパー部と、該ホッパー部に投入された被粉砕物を粉砕可能な固定擂潰盤及び回転擂潰盤からなる擂潰部と、該回転擂潰盤を回転させる駆動部と、該擂潰部により粉砕された被粉砕物が排出される排出部とを備えてなり、上記ホッパー部の投入口を開閉可能な蓋部材を配設すると共に上記ホッパー部と上記擂潰部との間の導入路を開閉可能なシャッター部材を配設し、該蓋部材の開閉動作と該シャッター部材の開閉動作とを連動させる連動機構を配設し、該連動機構に該蓋部材の開動作に伴うシャッター部材の閉動作を早くなすと共に該蓋部材の閉動作に伴うシャッター部材の開動作を遅くさせる制御機構を配設し、該制御機構は上記蓋部材側に取り付けられた作動ピンとシャッター部材を進退動作させる作動リンク側に形成された遊動溝とにより構成され、かつ、上記蓋部材の閉動作完了に連動して上記駆動部による回転擂潰盤の駆動回転を許容する安全機構を配設したことを特徴とする製粉機。
【発明の詳細な説明】
【０００１】
【発明の属する技術分野】
本発明は例えば米、麦、大豆、トウモロコシ等の穀類や干しキノコ、煮干し、卵殻、干しエビ、茶葉、漢方薬の原料等の製粉化加工に用いられる小型の製粉機に関するものである。
【０００２】
【従来の技術】
従来この種の製粉機として、穀類等の被粉砕物を固定擂潰盤及び回転擂潰盤からなる擂潰部により粉砕する構造のものが知られている。
【０００３】
【発明が解決しようとする課題】
しかしながら上記従来構造にあっては、被粉砕物を投入口よりホッパー部内に投入するに際し、ホッパー部と擂潰部との間の導入路は開口しているため、擂潰部が露呈状態を呈し、回転擂潰盤が回転状態にあることがあって、安全性に欠けることがあるという不都合を有している。
【０００４】
【課題を解決するための手段】
本発明はこのような課題を解決することを目的とするもので、請求項１記載の発明にあっては、被粉砕物が投入されるホッパー部と、該ホッパー部に投入された被粉砕物を粉砕可能な固定擂潰盤及び回転擂潰盤からなる擂潰部と、該回転擂潰盤を回転させる駆動部と、該擂潰部により粉砕された被粉砕物が排出される排出部とを備えてなり、上記ホッパー部の投入口を開閉可能な蓋部材を配設すると共に上記ホッパー部と上記擂潰部との間の導入路を開閉可能なシャッター部材を配設し、該蓋部材の開閉動作と該シャッター部材の開閉動作とを連動させる連動機構を配設し、該連動機構に該蓋部材の開動作に伴うシャッター部材の閉動作を早くなすと共に該蓋部材の閉動作に伴うシャッター部材の開動作を遅くさせる制御機構を配設し、該制御機構は上記蓋部材側に取り付けられた作動ピンとシャッター部材を進退動作させる作動リンク側に形成された遊動溝とにより構成され、かつ、上記蓋部材の閉動作完了に連動して上記駆動部による回転擂潰盤の駆動回転を許容する安全機構を配設したことを特徴とする製粉機にある。
【０００５】
【発明の実施の形態】
図１乃至図１５は本発明の実施の形態例を示し、大別して、ホッパー部１、擂潰部２、駆動部３、排出部４及び機台部５からなり、この場合機台部５は機台板５ａに脚枠５ｂを取り付けて構成されている。
【０００６】
このホッパー部１はケース体１ａ内に漏斗状の導入筒１ｂを形成し、かつ上部に導入筒１ｂの上部の投入口１ｃを開閉可能な蓋部材１ｄを取り付けて構成している。
【０００７】
また、擂潰部２は固定擂潰盤６及び回転擂潰盤７からなり、回転擂潰盤６は駆動部３により回転するように構成されている。
【０００８】
この場合機台板５ａに軸受筒部材８を縦設し、軸受筒部材８に主軸９を回転自在に縦設し、主軸９に回転擂潰盤７を着脱機構１０を介して着脱自在に取付け、この回転擂潰盤７上に固定擂潰盤６を軸受筒部材８に対して回り止め状態で載置して対向面間に粉砕間隙Ｈを形成すると共に粉砕間隙調節機構１１により固定擂潰盤６を回転擂潰盤７に対しての上昇離反限度を調節規制して粉砕間隙Ｈを調節設定自在に構成している。
【０００９】
この固定擂潰盤６は図３及び図５の如く、中央部に導入受筒１２が固定立設され、この導入受筒１２は導入筒１ｂに接続されて導入路１３が形成され、導入受筒１２の内周面に階段状の粗挽刃１２ａを四列分突出形成し、固定擂潰盤６の表面には擂潰凹凸条６ａが形成され、かつ固定擂潰盤６の内方側に被粉砕物Ｗを擂潰間隙Ｈに導入可能な導入溝６ｂが複数個形成され、導入溝６ｂは擂潰間隙Ｈに被粉砕物Ｗを誘い込み可能な誘導刃縁６ｃを持ち、誘導刃縁６ｃの先端から固定擂潰盤６の外周縁までの距離としての粉砕長さＬ1及び誘導刃縁６ｃの長さＬ2をもって形成され、この固定擂潰盤６上にホッパー部１のケース体１ａを取付けてなり、又、回転擂潰盤７にあっては、中央部に導入受筒１４が一体に立設され、この導入受筒１４の外周面に階段状の粗挽刃１４ａを四列分突出形成し、この回転擂潰盤７の表面には擂潰凹凸条７ａが形成されている。
【００１０】
また駆動部３は上記機台部５の機台板５ａに回転用モータ１５を取付け、回転用モータ１５の主軸と上記主軸９とをベルト伝導機構１６により接続し、回転用モータ１５により主軸９を回転させるように構成している。
【００１１】
また排出部４は、この場合軸受筒部材８及び機台板５ａに上記粉砕間隙Ｈに臨ませて排出口４ａを形成すると共に機台板５ａに排出筒４ｂを取付けてなり、排出筒４ｂに取出容器１７を臨設して構成している。
【００１２】
１８はシャッター部材であって、上記ホッパー部１と上記擂潰部２との間の導入路１３を開閉可能に設けられ、蓋部材１ｄの開閉動作とシャッター部材１８の開閉動作とが連動機構１９により連動すると共に連動機構１９に蓋部材１ｄの開動作に伴うシャッター部材１８の閉動作を早くなすと共に蓋部材１ｄの閉動作に伴うシャッター部材１８の開動作を遅くさせる制御機構２０を配設して構成している。
【００１３】
２１は安全機構であって、上記蓋部材１８の閉動作完了に連動して上記駆動部３による回転擂潰盤７の駆動回転を許容するように構成されている。
【００１４】
この場合、連動機構１９及び制御機構２０は、ケース体１ａの内周面に支持片２２を左右一対突設し、各支持片２２に支持ブロック２３を取付け、支持ブロック２３にガイド溝２３ａを形成し、ガイド溝２３ａに板状のシャッター部材１８を進退摺動自在に嵌入し、上記導入筒１ｂにシャッター部材１８が挿脱可能な嵌入溝２４を形成し、嵌入溝２４にストッパ部２４ａを形成し、一方、ケース体１ａに軸受枠２５を立設形成し、軸受枠２５に支点軸２６を挿通し、支点軸２６に作動リンク２７の上端部を遊動自在に挿通すると共に作動リンク２７の両側部に位置して一対のカラー部材２８を挿通し、カラー部材２８を支点軸２６に固定すると共に左右のカラー部材２８の間に作動ピン２９を架設し、蓋部材１ｄに形成された突片３０を支点軸２６に係合し、作動リンク２７に溝長さＭの遊動溝３１を形成し、作動リンク２７を逃げ穴３２を介して下方に垂設し、作動リンク２７の下部にガイド長穴２７ａを形成し、上記シャッター部材１８に連結片１８ａを立設し、連結片１８ａの間に連結ピン１８ｂを架設し、この連結ピン１８ｂをガイド長穴２７ａに挿通し、作動リンク２７とケース体１ａの内面との間にシャッター部材１８を閉口方向に弾圧可能なねじりバネからなるバネ部材３３を架設して構成している。
【００１５】
しかして、図８の如く、蓋部材１ｄの閉塞状態において、蓋部材１ｄを開口回動させると、支点軸２６及び作動ピン２９も一緒に回動し、これにより、図１４の如く、作動リンク２７はバネ部材３３により弾圧されているので、シャッター部材１８は前進して導入路１３を閉塞し、シャッター部材１８の前端縁はストッパ部２４ａに当接し、蓋部材１ｄを更に開口回動させると、図１５の如く、支点軸２６及び作動ピン２９も一緒に回動し、作動ピン２９は遊動溝３１内を遊動することになり、又、図１５の如く、蓋部材１ｄの開口状態において、蓋部材１ｄを閉口回動させると、支点軸２６及び作動ピン２９も一緒に逆回動し、作動ピン２９は遊動溝３１内を戻遊動して図１４の状態に至り、更に蓋部材１ｄを閉口回動させると、支点軸２６及び作動ピン２９も一緒に逆回動し、これにより、図８の如く、シャッター部材１８は後退して導入路１３を開口することになり、よって、シャッター部材１８は蓋部材１ｄの開閉動作に連動して開閉動作することになり、かつ蓋部材１ｄの開動作に伴うシャッター部材１８の閉動作が早くなされると共に蓋部材１ｄの閉動作に伴うシャッター部材１８の開動作が遅れてなされることになる。
【００１６】
またこの場合安全機構２１は、上記ケース体１ａにガイド板２１ａにより中間板２１ｂを上下摺動自在に取付け、シャッター部材１８の基端部に斜面部１８ｃを形成すると共に中間板２１ｂの上端部に斜面部２１ｃを形成し、かつケース体１ａにガイド板２１ｄにより押圧板２１ｅを上下摺動自在に取付け、押圧板２１ｅの上端部を中間板２１ｂの下端部に当接可能に形成し、機台板５ａに上記駆動部３の回転用モータ１５を回転停止させる作動スイッチ２１ｆを取付け、この作動スイッチ２１ｆの内蔵のバネにより常時上方に突出付勢されたスイッチボタン２１ｇに押圧板２１ｅの下端部を当接して構成されている。
【００１７】
しかして、蓋部材１ｄの閉口に伴いシャッター部材１８が開口後退すると、中間板２１ｂは斜面部１８ｃ及び斜面部２１ｃの傾斜作用により下方に押し下げられ、この中間板２１ｂにより押圧板２１ｅはスイッチボタン２１ｇを内蔵のバネに抗して押し下げられ、スイッチボタン２１ｇは閉成状態となって、これにより回転用モータ１５の回転が開始可能な状態となり、又、蓋部材１ｄの開口に伴いシャッター部材１８が閉口前進すると、押圧板２１ｅは内蔵のバネにより上方に付勢されたスイッチボタン２１ｇにより押し上げられ、押圧板２１ｅにより中間板２１ｂも押し上げられ、スイッチボタン２１ｇは開成状態となって、これにより回転用モータ１５は停止して回転不能な状態となる。
【００１８】
この実施の形態例は上記構成であるから、米、麦、大豆、トウモロコシ等の穀類や干しキノコ、煮干し、卵殻、干しエビ、茶葉、漢方薬の原料等の被粉砕物Ｗをホッパー部１に投入し、駆動部３により回転擂潰盤７を図５の実線矢印方向に回転させ、このことは言い換えると固定擂潰盤６を図６の如く、破線矢印方向に相対回転させると考えることもでき、被粉砕物Ｗは固定擂潰盤６及び回転擂潰盤７からなる擂潰部２の擂潰間隙Ｈにより擂り潰されつつ外方に送られ、粉砕された被粉砕物Ｗは排出部４より排出されることになり、この際上記ホッパー部１の投入口１ｃを開閉可能な蓋部材１ｄが配設されている共にホッパー部１と擂潰部２との間の導入路１３を開閉可能なシャッター部材１８が配設され、蓋部材１ｄの開閉動作とシャッター部材１８の開閉動作とが連動機構１９により連動し、この連動機構１９には蓋部材１ｄの開動作に伴うシャッター部材１８の閉動作を早くなすと共に蓋部材１ｄの閉動作に伴うシャッター部材１８の開動作を遅くさせる制御機構２０を配設しているので、蓋部材１ｄの開動作に追従して直ちにシャッター部材１８により導入路１３を閉塞することができると共に蓋部材１ｄの閉動作の完了間際までシャッター部材１８により導入路１３を閉塞することができ、それだけ擂潰部２の外部露呈状態を少なくすることができ、回転擂潰盤７に対しての使用の安全性を高めることができる。
【００１９】
またこの場合上記蓋部材１ｄの閉動作完了に連動して駆動部３による回転擂潰盤７の駆動回転を許容する安全機構２１を配設しているから、蓋部材１ｄが閉じられていないと回転擂潰盤７の回転は可能とならないし、蓋部材１ｄが開口動作すると回転擂潰盤７の回転は停止するので、一層安全性を高めることができ、またこの場合制御機構２０は上記蓋部材１ｄ側に取り付けられた作動ピン２９とシャッター部材１８を進退動作させる作動リンク２７側に形成された遊動溝３１とにより構成されているから、遊動溝３１の長さＭの変更により遅延量を容易に変更することができると共に構造を簡素化することができる。
【００２０】
尚、本発明は上記実施の形態例に限られるものではなく、ホッパー部１、擂潰部２、駆動部３、排出部４の構造や形態並びに材質等は適宜変更して設計されるものである。
【００２１】
【発明の効果】
本発明は上述の如く、請求項１記載の発明にあっては、ホッパー部の投入口を開閉可能な蓋部材が配設されている共にホッパー部と擂潰部との間の導入路を開閉可能なシャッター部材が配設され、蓋部材の開閉動作とシャッター部材の開閉動作とが連動機構により連動し、この連動機構には蓋部材の開動作に伴うシャッター部材の閉動作を早くなすと共に蓋部材の閉動作に伴うシャッター部材の開動作を遅くさせる制御機構が配設されているので、蓋部材の開動作に追従して直ちにシャッター部材により導入路を閉塞することができると共に蓋部材の閉動作の完了間際までシャッター部材により導入路を閉塞することができ、それだけ擂潰部の外部露呈状態を少なくすることができ、回転擂潰盤に対しての使用の安全性を高めることができ、制御機構は蓋部材側に取り付けられた作動ピンとシャッター部材を進退動作させる作動リンク側に形成された遊動溝とにより構成されているから、遊動溝の長さの変更により遅延量を容易に変更することができると共に構造を簡素化することができ、かつ、上記蓋部材の閉動作完了に連動して駆動部による回転擂潰盤の駆動回転を許容する安全機構を配設しているから、蓋部材が閉じられていないと回転擂潰盤の回転は可能とならないので、一層安全性を高めることができる。
【００２２】
以上、所期の目的を充分達成することができる。
【図面の簡単な説明】
【図１】  本発明の実施の形態例の全体断面斜視図である。
【図２】  本発明の実施の形態例の側断面図である。
【図３】  本発明の実施の形態例の部分側断面図である。
【図４】  本発明の実施の形態例の全体斜視図である。
【図５】  本発明の実施の形態例の回転擂潰盤の正面図である。
【図６】  本発明の実施の形態例の固定擂潰盤の正面図である。
【図７】  本発明の実施の形態例の部分平断面図である。
【図８】  本発明の実施の形態例の部分側断面図である。
【図９】  本発明の実施の形態例の部分平断面図である。
【図１０】  本発明の実施の形態例の部分横断面図である。
【図１１】  本発明の実施の形態例の部分分解斜視図である。
【図１２】  本発明の実施の形態例の部分平断面図である。
【図１３】  本発明の実施の形態例の部分側面図である。
【図１４】  本発明の実施の形態例の部分側断面図である。
【図１５】  本発明の実施の形態例の部分側断面図である。
【符号の説明】
Ｗ  被粉砕物
１  ホッパー部
１ｃ  投入口
１ｄ  蓋部材
２  擂潰部
３  駆動部
４  排出部
６  固定擂潰盤
７  回転擂潰盤
１３  導入路
１８  シャッター部材
１９  連動機構
２０  制御機構
２１  安全機構
２７  作動リンク
２９  作動ピン
３１  遊動溝
【図１】
0003694964.tif 000002
【図２】
0003694964.tif 000003
【図３】
0003694964.tif 000004
【図４】
0003694964.tif 000005
【図５】
0003694964.tif 000006
【図６】
0003694964.tif 000007
【図７】
0003694964.tif 000008
【図８】
0003694964.tif 000009
【図９】
0003694964.tif 000010
【図１０】
0003694964.tif 000011
【図１１】
0003694964.tif 000012
【図１２】
0003694964.tif 000013
【図１３】
0003694964.tif 000014
【図１４】
0003694964.tif 000015
【図１５】
0003694964.tif 000016